(57)【要約】【課題】落下衝撃等によって上下ケースに口開き変形が発生しないようにして、又は収納部に対するリーダーピンの保持機能を高めて、リーダーピンが収納部から抜けるのを防止し確実なローディング動作を確保し、信頼性を高める。【解決手段】磁気テープ６を巻装した単一のリール７を回転可能に上ケース２と下ケース３との重ね合わせによるカートリッジケース４に収容し、磁気テープ６の先端に固着したリーダーピン５の端部を着脱可能にケース４の凹状収納部20に固定保持し、収納部20をアンダーカット溝20bに形成し、リーダーピン５の両端固定部5dをこれと係合する抜け止め構造に形成してなる。【選択図】図１１
2007128655.tif 000002
【特許請求の範囲】
【請求項１】
上ケースと下ケースとの重ね合わせにより、磁気テープを巻装した単一のリールを回転可能に収容するカートリッジケースを備え、前記磁気テープの先端に該磁気テープを引き出すためのリーダーピンが固着され、該リーダーピンの両端部が前記カートリッジケースの開口部内の凹状収納部に着脱可能にロック部材によって固定保持され、前記開口部を開閉するスライドドアが設置されてなる磁気テープカートリッジにおいて、
前記収納部がアンダーカット溝に形成され、前記リーダーピンの両端部が前記アンダーカット溝に係合する形状に設けられていることを特徴とする磁気テープカートリッジ。
【請求項２】
前記収納部の周面が逆円錐状のアンダーカット溝に形成され、前記リーダーピンの両端部が前記アンダーカット溝に係合する逆円錐形状に設けられていることを特徴とする請求項１記載の磁気テープカートリッジ。
【請求項３】
前記収納部の周面が段状のアンダーカット溝に形成され、前記リーダーピンの両端部が前記アンダーカット溝に係合する端部にフランジ部分を有する段形状に設けられていることを特徴とする請求項１記載の磁気テープカートリッジ。
【請求項４】
上ケースと下ケースとの重ね合わせにより、磁気テープを巻装した単一のリールを回転可能に収容するカートリッジケースを備え、前記磁気テープの先端に該磁気テープを引き出すためのリーダーピンが固着され、該リーダーピンの両端部が前記カートリッジケースの開口部内の凹状収納部に着脱可能にロック部材によって固定保持され、前記開口部を開閉するスライドドアが設置されてなる磁気テープカートリッジにおいて、
前記スライドドアの内面の上下に、該スライドドアの閉状態において前記リーダーピンのフランジ部より細い上下の係合部に係合し、前記収納部に保持されたリーダーピンの姿勢を維持する保持部材を備え、該保持部材はフォーク状に形成され、前記スライドドアの閉移動に応じて先端部がリーダーピンの係合部に挿入して係合し、収納部に保持されたリーダーピンの上下方向及び開口部に直交する方向の移動を規制することを特徴とする磁気テープカートリッジ。
【発明の詳細な説明】
【技術分野】
【０００１】
本発明は、カートリッジケース内に磁気テープが巻装された単一のリールを回転可能に収容し、この磁気テープの先端に該磁気テープを引き出すためのリーダーピンを固着してなる磁気テープカートリッジに関し、特に、保管時等に落下衝撃などが作用した際に開口部の口開き変形によりリーダーピンが収納部から外れるのを防止する構造に関するものである。
【背景技術】
【０００２】
従来、コンピュータ等の外部記憶装置に用いられる記録媒体として使用されている磁気テープカートリッジには、単一のリールに磁気テープを巻装し、このリールをカートリッジケース内に回転可能に収容したタイプのものが知られている。この磁気テープはコンピュータ等のデータ保存用として用いられ、重要な情報が記憶されているため、テープジャミング等のトラブルが発生しないように、また不用意に磁気テープが引き出されないように構成されている。
【０００３】
また、上記磁気テープの先端部にはリーダーピンが固着され、このリーダーピンを記録再生装置側で引き出して巻き取り又は巻き戻し（ロード／アンロード）を行うように構成される。上記リーダーピンは、カートリッジケースのスライドドアによって開閉される開口部から内部に配設された収納部に所定の姿勢で着脱可能に保持されるもので、このリーダーピンの両端部を固定保持するロック部材が配設されている。そして、カートリッジケースが記録再生装置に装填されると、スライドドアが開作動されて開口部が開かれ、その後、ローディング用の係合部材（リーダーブロック）が開口部に内に進入し、この係合部材がリーダーピンに係合して引っ掛けた後、後退移動して開口部からケース外にリーダーピンが引き出される。
【発明の開示】
【発明が解決しようとする課題】
【０００４】
しかして、上記のような磁気テープカートリッジにおいては、前記リーダーピンの収納位置への保持を確実に行って、記録再生装置の係合部材に正確に保持されるようにしてローディング動作の信頼性を高める必要がある。
【０００５】
つまり、前記リーダーピンの収納状態すなわち磁気テープカートリッジの保管又は搬送状態において、カートリッジの落下等により衝撃が作用した際に、カートリッジケースの開口部分近傍の上下ケースが離間するように変形して開口部が上下に開かれると、リーダーピンを保持している収納部が上下に移動して該リーダーピンが収納部から抜け、収納位置からケース内部に離脱移動するか、傾いた状態となる可能性がある。そして、このようにリーダーピンが抜けた状態となると、次に磁気テープカートリッジを記録再生装置に装填した際に、記録再生装置側の係合部材に正常に保持されずにローディング動作不良が発生して使用上の信頼性を損なう恐れがある。特に、カートリッジケースの開口部の近傍には前記ロック部材等が設置される関係で、上下ケースを締結するビスを配設するスペースがなく、上記のような口開きが発生する可能性がある。
【０００６】
本発明は上記点に鑑みなされたもので、落下衝撃等によって上下ケースに口開き変形が発生しないようにして、又は収納部に対するリーダーピンの保持機能を高めて、リーダーピンが収納部から抜けるのを防止し確実なローディングが行えるようにした磁気テープカートリッジを提供することを目的とする。
【課題を解決するための手段】
【０００７】
本発明の磁気テープカートリッジは、上ケースと下ケースとの重ね合わせにより、磁気テープを巻装した単一のリールを回転可能に収容するカートリッジケースを備え、前記磁気テープの先端に該磁気テープを引き出すためのリーダーピンが固着され、該リーダーピンの両端部が前記カートリッジケースの開口部内の凹状収納部に着脱可能にロック部材によって固定保持され、前記開口部を開閉するスライドドアが設置されてなる磁気テープカートリッジにおいて、前記収納部がアンダーカット溝に形成され、リーダーピンの両端部が前記アンダーカット溝に係合する形状に設けられていることを特徴とするものである。
【０００８】
その際、前記収納部の周面を逆円錐状のアンダーカット溝に形成し、前記リーダーピンの両端部を前記アンダーカット溝に係合する逆円錐形状に設けるのが好適である。
【０００９】
また、前記収納部の周面を段状のアンダーカット溝に形成し、前記リーダーピンの両端部を前記アンダーカット溝に係合する端部にフランジ部分を有する段形状に設けるのが好適である。
【００１０】
本発明の他の磁気テープカートリッジは、上ケースと下ケースとの重ね合わせにより、磁気テープを巻装した単一のリールを回転可能に収容するカートリッジケースを備え、前記磁気テープの先端に該磁気テープを引き出すためのリーダーピンが固着され、該リーダーピンの両端部が前記カートリッジケースの開口部内の凹状収納部に着脱可能にロック部材によって固定保持され、前記開口部を開閉するスライドドアが設置されてなる磁気テープカートリッジにおいて、前記スライドドアの内面の上下に、該スライドドアの閉状態において前記リーダーピンのフランジ部より細い上下の係合部に係合し、前記収納部に保持されたリーダーピンの姿勢を維持する保持部材を備え、該保持部材はフォーク状に形成され、前記スライドドアの閉移動に応じて先端部がリーダーピンの係合部に挿入して係合し、収納部に保持されたリーダーピンの上下方向及び開口部に直交する方向の移動を規制することを特徴とするものである。
【発明の効果】
【００１１】
上記のような本発明の磁気テープカートリッジによれば、リーダーピンを収容する収納部をアンダーカット溝に形成しリーダーピンの両端部をアンダーカット溝に係合する形状に設けたことにより、又は、スライドドアの内面の上下に該スライドドアの閉状態においてリーダーピンのフランジ部より細い上下の係合部に係合して収納部に保持されたリーダーピンの姿勢を維持する保持部材を備えたことにより、落下衝撃時等においても収納部にリーダーピンを保持して収納部からリーダーピンが抜けるのが防止でき、リーダーピンが収納部から外れたり傾くのが防止でき、リーダーピンは係合部材に正常に保持されて確実なローディング動作が行え使用上の信頼性を確保できる。
【発明を実施するための最良の形態】
【００１２】
以下、図面に示す各実施の形態に基づいて本発明を詳細に説明する。
【００１３】
＜第１の実施の形態＞
図１ないし図５にこの実施の形態を示し、基本構造の説明を行うもので、本発明の実施態様に該当しない部分も含んでいる。図１は磁気テープカートリッジの分解斜視図、図２はスライドドアが開いた状態の開口部近傍の正面図、図３は上ケースを除去した状態の開口部近傍の平面図、図４は図２の側面図、図５はロック部材の斜視図である。この明細書での前後方向は、磁気テープカートリッジの装填方向（図１の斜め右上方向）に対応して表記している。
【００１４】
磁気テープカートリッジ１は、上ケース２と下ケース３とがビス等により締結されてなるカートリッジケース４内に、先端にローディング用のリーダーピン５が固着された磁気テープ６を巻装した単一のリール７が回動可能に収容される。上記上下ケース２，３の一側壁２ｂ，３ｂには、磁気テープ６を引き出すための略矩形状の開口部１０が形成され、この開口部１０は図示しないスプリングで閉方向に付勢されたスライドドア１１により開閉され、開口部１０近傍には上記スライドドア１１が摺動する溝状のドアレール１２（図３参照）が形成される。
【００１５】
また、磁気テープカートリッジ１はその不使用時に磁気テープ６が完全にリール７に巻き込まれた状態で、先端のリーダーピン５が開口部１０の近傍に形成された凹状の収納部２０に係止保持される。この収納部２０には開口部１０に向けて誘い込み構造に形成された挿入案内部２１（ガイド面）が連設され、奥部の収納部２０に向けてリーダーピン５の端部を案内する。また、上記リーダーピン５を前記収納部２０に着脱可能に保持する板バネによるロック部材９が設置されている。
【００１６】
前記開口部１０を開閉するスライドドア１１は略矩形状であり、その上下縁は上下ケース２，３に設けられたドアレール１２に沿って開閉摺動する。このスライドドア１１の先端部には、上下縁部分を除く中央部分に外面側に突出する突起部１１ａが設けられている。また、カートリッジケース４の開口部１０の前側端部の開口縁は、前記スライドドア１１の突起部１１ａの幅に対応する部分が切り欠かれ、この切欠き部４ａに閉状態のスライドドア１１の前記突起部１１ａが挿入し、切欠き部４ａの上下の開口縁にスライドドア１１の先端部が当接して閉状態で停止し、ケース前面側に上記突起部１１ａの先端が露出する。この突起部１１ａに記録再生装置側の開操作部材（図示せず）が係止して、カートリッジケース４の装填動作に応じてスライドドア１１の開作動が行われるように設けられている。
【００１７】
そして、図２〜図４に示すように、前記スライドドア１１の先端部の内面の上下には、開閉方向に延びて内方に突出する係合突起１１ｂ，１１ｂが形成されている。また、前記カートリッジケース４の上ケース２及び下ケース３の前記切欠き部４ａにおけるそれぞれの側壁２ｂ，３ｂ（前壁）の端面には、スライドドア１１の開閉方向に延びる凹状の係合溝４ｂ，４ｂが設けられている。前記スライドドア１１の上下の係合突起１１ｂ，１１ｂは、該スライドドア１１の閉状態において、それぞれ上ケース２の係合溝４ｂ及び下ケース３の係合溝４ｂに係合し、この係合状態において前記上ケース２と下ケース３とが離間するような開口部１０の口開き変形を阻止するようになっている。
【００１８】
なお、前記スライドドア１１の内面には、前記ロック部材９の先端部に対応する位置に開閉方向に延びる凹溝１１ｃが形成され、スライドドア１１とロック部材９との干渉を避けるようにしている。また、リーダーピン５に対応する位置の内面には凸部１１ｄが形成され、リーダーピン５の開口部１０側への移動量を規制している。
【００１９】
前記リーダーピン５は図２に示すように、磁気テープ６の先端部を巻き付けて断面Ｃ形のクランプ部材５ｅの嵌着によりクランプする軸状のテープクランク部５ａを中央に有し、このテープクランプ部５ａの上下両側に板状の上下フランジ部５ｂ，５ｂが連設され、さらに上下フランジ部５ｂの上下に記録再生装置の係合部材で係合保持される細い係合部５ｃ，５ｃがそれぞれ軸方向に延びて形成され、両端にはケース固定用の固定部５ｄ，５ｄが形成されてなる。このリーダーピン５は例えば金属棒（ステンレス鋼等）の削り出しによって形成され、そのテープクランプ部５ａは長さが磁気テープ６の幅に設けられている。前記クランプ部材５ｅは樹脂成形品であり、前記リーダーピン５のテープクランプ部５ａの長さに相当する軸方向長さを有し、その全長に渡って軸方向に延びるスリットが開口された断面Ｃ形に形成され、テープクランプ部５ａの外周に弾性的に嵌着可能に設けられている。
【００２０】
前記ロック部材９（図５参照）は上下一体であり、略矩形板状の取付部９ａが、前記上ケース２及び下ケース３の重ね合わせで、ケース側壁２ｂ，３ｂ（前壁）の近傍に設けられたバネ装着部２３（上ケース２については図示していないが下ケース３と対称同形状である）に係合されて保持される。上記取付部９ａのリーダーピン５側の縁部の上下両端部に、リーダーピン５の方向に前記取付部９ａから屈曲して延びる弾性腕部９ｂが連接され、この腕部９ｂの先端保持部９ｃがリーダーピン５の固定部５ｄの外周に当接する。該保持部９ｃは、リーダーピン５側に突出する山形に設けられ、先端側の斜面で開口部１０から挿入移動するリーダーピン５に接触して弾性腕部９ｂが撓み変形し、内部側の斜面でリーダーピン５を収納部２０内に押圧保持するようになっている。また、前記取付部９ａの上下端部には係合凹部９ｄが設けられている。なお、上下の弾性腕部９ｂ，９ｂは、根元部分で上下連結するように設けてもよい。
【００２１】
前記のようなロック部材９を保持する上下ケース２，３のバネ装着部２３は、上下ケース２，３の側壁２ｂ，３ｂ（前壁）の内面に形成された２つのリブ２３ａ，２３ａと、その中間における底面に立設された突起２３ｂとの間に取付部９ａが挿入されると共に、底面の凸部２３ｃに係合凹部９ｄが嵌合して、ロック部材９を保持するように設けられている。また、奥部側の端部には、ロック部材９の取付部９ａにおける腕部９ｂと反対側の端部を直立状態に保持する倒れ規制部２３ｄが設けられている。
【００２２】
前記収納部２０は凹部周面と平坦な底面とによる略Ｕ字状の凹部に形成され、凹部周面の高さ（凹部の深さ）はリーダーピン５の固定部５ｄの高さより低く形成されている。前記収納部２０より開口部１０側の挿入案内部２１は、収納部２０の底面に連続する平坦面と開口端の傾斜面とで構成されている。また、前記収納部２０に近接して、前記ロック部材９を設置するための凹部２５が形成され、腕部９ｂ前端の保持部９ｃがリーダーピン５の固定部５ｄに当接可能に設けられている。
【００２３】
なお、図１において、上下ケース２，３は略矩形状に形成され、上壁２ａ及び底壁３ａの周囲に側壁２ｂ，３ｂが設けられ、内部にはリール７の外周に沿う円弧状の内壁３ｃ（上ケース２については図示せず）が設けられている。下ケース３は前記側壁３ｂと内壁３ｃとの間に配設された４カ所のボス部３ｄ（開口部１０近傍のボス部はスライドドア１１で隠れている）を上ケース２の不図示のボス部と当接させて、底面からビスを締め付けて重ね合わせ状態で締結される。
【００２４】
また、前記下ケース３の中心部にはドライブ装置の駆動軸によって前記リール７を回転駆動するためのセンター穴３ｅが開口され、カートリッジケース４の後端部には書き込み防止用のライトプロテクタ部材１３が摺動可能に配設される。前記リール７の中心部には、不使用状態におけるリール７の回転を拘束する回転規制機構１５が設けられる。
【００２５】
その他、図示していないが、リール７の底面には中央部にマグネット式の回転駆動手段を吸引保持させるためのリールプレートが取り付けられ、外周部には回転駆動手段のドライブギヤと噛合するリールギヤが刻設されている。なお、リールギヤとドライブギヤが噛合した状態においては前記回転規制機構１５が解除作動してリール７が回転自在とされる。
【００２６】
本実施の形態によれば、前記スライドドア１１の内面に係合突起１１ｂ，１１ｂを設けると共に、開口部１０近傍の上下ケース２，３に係合溝４ｂ，４ｂを設けて、保管時等にはスライドドア１１が閉状態にあって上下ケース２，３の係合溝４ｂ，４ｂにスライドドア１１の係合突起１１ｂ，１１ｂがそれぞれ係合し、落下衝撃等によりカートリッジケース４に開口部１０近傍の上ケース２と下ケース３の接合面が離れるような力が作用しても、この力を係合突起１１ｂ，１１ｂを介してスライドドア１１が担持して上下ケース２，３の口開き変形を阻止する。その結果、開口部１０内の収納部２０が上下に離間する方向の変形を阻止して、この収納部２０に保持されたリーダーピン５が抜けて外れたり傾くのを防止し、ローディング動作の信頼性を高めている。
【００２７】
＜第２の実施の形態＞
図６ないし図８にこの実施の形態を示し、図６は開口部近傍のロック部材の部分で切断した内部機構を省略した断面図、図７はカートリッジケースの上面部分の要部斜視図、図８はロック部材の斜視図である。
【００２８】
本実施形態の上下ケース２，３及びリーダーピン５等の基本構造は前記実施の形態に示した構造と同様であり、ロック部材９に口開き変形を阻止する構造を備えている。
【００２９】
すなわち、ロック部材９の取付部９ａの上下端には、カートリッジケース４の上ケース２及び下ケース３に係合し、前記開口部１０の口開きを阻止する係合片９ｅ，９ｅが形成されている。具体的には、ロック部材９は、カートリッジケース４に支持される取付部９ａの上下に、前例と同様に前記リーダーピン５の上下端部の固定部５ｄに当接する上下保持部９ｃが腕部９ｂの前端に一体に設けられ、さらに、前記取付部９ａの上下端にそれぞれ上下方向に延びる係合片９ｅ，９ｅが連接されている。一方、カートリッジケース４の上ケース２の上壁２ａ及び下ケース３の下壁３ａには、スリット状の挿通孔４ｃ，４ｃがそれぞれ貫通形成され、この挿通孔４ｃ，４ｃの上面及び下面の開口部分には凹部４ｄ，４ｄが形成されている。
【００３０】
そして、前記ロック部材９の取り付け状態においては、前記係合片９ｅ，９ｅが上ケース２及び下ケース３の挿通孔４ｃ，４ｃに挿入されて上壁２ａ及び下壁３ａを貫通して先端が外面に突出し、この係合片９ｅ，９ｅの先端部分が凹部４ｄ，４ｄ内に折り曲げられて係合され、上ケース２と下ケース３とが離間するような口開き変形を防止するように設けられている。
【００３１】
本実施の形態によれば、ロック部材９の係合片９ｅ，９ｅを上下ケース２，３に固定して、この上下ケース２，３が離間するような開口部１０の口開き変形を防止し、落下衝撃時等における収納部２０の変位を抑制し、この収納部２０からリーダーピン５が抜けるのを防止し、ローディング動作の信頼性を高めている。
【００３２】
＜第３の実施の形態＞
図９及び図１０にこの実施の形態を示し、図９は上ケースを除去した状態の開口部近傍の一部断面平面図、図１０は要部正面図である。本実施の形態では、スライドドア１１にリーダーピン５を保持する構造を備えている。
【００３３】
すなわち、開口部１０を開閉するスライドドア１１の内面の上下には、該スライドドア１１の閉状態において、前記収納部２０に保持されたリーダーピン５の上下の係合部５ｃ，５ｃに係合する保持部材１７，１７がそれぞれ設けられている。この保持部材１７はフォーク状に形成され、スライドドア１１の閉移動に応じて先端部がリーダーピン５の係合部５ｃに挿入して係合し、収納部２０に保持されたリーダーピン５の上下方向及び開口部１０に直交する方向（矢印Ｌ方向）の移動を規制するように設けられている。また、前記保持部材１７のフォーク状先端部の内側には突起を形成し、リーダーピン５の係合部５ｃの姿勢保持をより確実に行うようにしてもよい。
【００３４】
本実施の形態によれば、スライドドア１１の閉状態においてその内面に設けた保持部材１７がリーダーピン５に係合して特に上下方向の移動を規制し、落下衝撃時等に収納部２０からリーダーピン５が抜けるのを防止し、ローディング動作を確保する。また、上記保持部材１７はスライドドア１１の閉状態のみリーダーピンに係合し、開状態においてはリーダーピン５から離脱してローディング動作を阻害しない。
【００３５】
＜第４の実施の形態＞
図１１はこの実施の形態を示す要部正面図であり、収納部２０がリーダーピン５の端部を保持する構造を備えている。
【００３６】
すなわち、収納部２０の周面が逆円錐状のアンダーカット溝２０ａに形成されると共に、前記リーダーピン５の両端固定部５ｄが前記アンダーカット溝２０ａに係合する逆円錐形状に設けられている。
【００３７】
また、図１２は本実施形態の変形例を示し、収納部２０の周面が段状のアンダーカット溝２０ｂに形成されると共に、前記リーダーピン５の両端固定部５ｄが前記アンダーカット溝２０ｂに係合する端部にフランジ部分を有する段形状に設けられている。
【００３８】
本実施の形態によれば、収納部２０にリーダーピン５を収納した状態においては、該収納部２０のアンダーカット溝２０ａ，２０ｂにリーダーピン５の端部の固定部５ｄが係合して上下方向に抜けないように保持され、落下衝撃時等において収納部２０からリーダーピン５が抜けるのを防止し、ローディング動作を確保することができる。
【００３９】
なお、上記アンダーカット溝２０ａ，２０ｂは、上下ケース２，３の少なくとも一方（例えば下ケース３）の収納部２０に設けて、口開き変形時に抜けないようにすればよいが、上下ケース２，３の両方の収納部２０，２０に設けると、これに係合したリーダーピン５によって開口部１０の口開き変形が防止できる機能をも有する。
【００４０】
＜第５の実施の形態＞
図１３及び図１４にこの実施の形態を示し、図１３は要部平面図、図１４は要部正面図であり、収納部２０によるリーダーピン５の保持機能を高めている。
【００４１】
すなわち、上ケース２及び下ケース３における両収納部２０，２０の周囲には、リーダーピン５の固定部５ｄに当接する保持リブ１８が設けられている。なお、上記保持リブ１８は、記録再生装置側の係合部材のローディング動作と干渉しない高さに設けられている。
【００４２】
本実施の形態によれば、上下ケース２，３の収納部２０，２０にリーダーピン５の端部固定部５ｄ，５ｄを収納した状態においては、該収納部２０，２０の保持リブ１８，１８がリーダーピン５の端部の固定部５ｄ，５ｄに当接して上下方向の保持高さが大きく、落下衝撃時等において口開き変形に対する上下方向の抜け止め作用が大きくなり、この収納部２０からのリーダーピン５の抜けを防止し、ローディング動作を確保することができる。
【００４３】
＜第６の実施の形態＞
図１５はこの実施の形態を示すリーダーピンの部分の斜視図であり、磁気テープ６によるリーダーピン５の姿勢保持を行っている。
【００４４】
すなわち、磁気テープ６の先端にリーダーテープ８がスプライシングテープ８ａの貼付で延長接続され、このリーダーテープ８の終端にリーダーピン５が固着されている。そして、前記リーダーテープ８は収納部２０に保持されたリーダーピン５の姿勢を維持する剛性を有する素材及び厚みに設けられている。例えば、このリーダーテープ８は、厚みが１００〜５００μｍ、好ましくは２００〜４００μｍ、さらに好ましくは２５０〜３５０μｍ程度のポリエチレンテレフタレートテープで形成され、その長さはリーダーピン５が収納部２０に保持された状態で一端がリール７に巻かれて該リール７から収納部２０に延びている状態となるように設定される。
【００４５】
本実施の形態によれば、上下ケース２，３の収納部２０にリーダーピン５の端部固定部５ｄを収納した状態においては、そのリーダーピン５の位置及び上下方向の姿勢が、剛性を有するリーダーテープ８によって保持され、落下衝撃時等における口開き変形に対する収納部２０の変位に対してリーダーピン５の位置を保持し、この収納部２０からのリーダーピン５の抜けを防止し、ローディング動作を確保することができる。
【図面の簡単な説明】
【００４６】
【図１】第１の実施の形態による磁気テープカートリッジの分解斜視図
【図２】スライドドアが開いた状態の開口部近傍の正面図
【図３】図２の上ケースを除去した状態の開口部近傍の平面図
【図４】図２の要部側面図
【図５】図２のロック部材の斜視図
【図６】第２の実施の形態による磁気テープカートリッジの開口部近傍のロック部材の部分で切断した内部機構を省略した断面正面図
【図７】図６のカートリッジケースの要部斜視図
【図８】図６のロック部材の斜視図
【図９】第３の実施の形態による磁気テープカートリッジの上ケースを除去した状態の開口部近傍の一部断面平面図
【図１０】図９の要部断面正面図
【図１１】第４の実施の形態による磁気テープカートリッジのスライドドアを除去し内部機構を省略した要部正面図
【図１２】図１１の実施の形態の他の態様を示す同要部正面図
【図１３】第５の実施の形態による磁気テープカートリッジの上ケースを除去した状態の開口部近傍の要部平面図
【図１４】図１３のカートリッジケースの要部正面図
【図１５】第６の実施の形態によるリーダーピンの部分の斜視図
【符号の説明】
【００４７】
１    磁気テープカートリッジ
２    上ケース
３    下ケース
４    カートリッジケース
4b    係合溝
５    リーダーピン
5c    係合部
5d    固定部
６    磁気テープ
７    リール
８    リーダーテープ
９    ロック部材
9a    取付部
9b    腕部
9c    保持部
10    開口部
11    スライドドア
17    保持部材
20    収納部
20a,20b   アンダーカット溝
【図１】
2007128655.tif 000003
【図２】
2007128655.tif 000004
【図３】
2007128655.tif 000005
【図４】
2007128655.tif 000006
【図５】
2007128655.tif 000007
【図６】
2007128655.tif 000008
【図７】
2007128655.tif 000009
【図８】
2007128655.tif 000010
【図９】
2007128655.tif 000011
【図１０】
2007128655.tif 000012
【図１１】
2007128655.tif 000013
【図１２】
2007128655.tif 000014
【図１３】
2007128655.tif 000015
【図１４】
2007128655.tif 000016
【図１５】
2007128655.tif 000017